(57)【特許請求の範囲】
【請求項１】
カードが挿入されるとともに排出されるカード挿入口と、前記カード挿入口からの前記カードの異常な引抜きを検知する複数種類の引抜き検知機構と、前記カード挿入口からの前記カードの異常な引抜きを阻止する引抜き阻止機構とを備え、
前記引抜き阻止機構は、前記カードに接触して前記カードの引抜きを阻止する阻止部が形成されるロック部材と、前記カードに前記阻止部が接触する接触位置と前記カードから離れるように前記阻止部が退避する退避位置との間で前記ロック部材を移動させる移動機構とを備え、
複数種類の前記引抜き検知機構は、互いに異なる方法で前記カードの異常な引抜きを検知するとともに、本来検知すべきではないタイミングで検知対象を検知することで前記カードの異常な引抜きを検知し、
前記ロック部材は、複数種類の前記引抜き検知機構において前記カード挿入口からの前記カードの異常な引抜きが検知されると、前記退避位置から前記接触位置に移動して、前記カードの引抜きを阻止することを特徴とするカードリーダ。
【請求項２】
前記カード挿入口から挿入された前記カードが搬送されるカード搬送路と、前記カードリーダ内へ前記カードが取り込まれないように前記カード搬送路を塞ぐ閉鎖位置と前記カードリーダ内への前記カードの取込みが可能となるように前記カード搬送路を開放する開放位置との間で移動可能なシャッタ部材とを備え、
複数種類の前記引抜き検知機構および前記阻止部は、前記カードの搬送方向において、前記シャッタ部材よりも手前側に配置されていることを特徴する請求項１記載のカードリーダ。
【請求項３】
前記引抜き検知機構として、前記カードの厚さを検知する厚さ検知機構と、前記カードの厚さ方向と前記カードの搬送方向とに直交する前記カードの幅方向の端部を検知する幅検知機構と、前記カードの有無を検知するカード有無検知機構とを備え、
前記ロック部材は、前記厚さ検知機構、前記幅検知機構および前記カード有無検知機構の全てにおいて前記カード挿入口からの前記カードの異常な引抜きが検知されると、前記退避位置から前記接触位置に移動して、前記カードの引抜きを阻止することを特徴とする請求項１または２記載のカードリーダ。
【請求項４】
前記カード挿入口から挿入された前記カードを搬送する搬送ローラと、前記搬送ローラを駆動するための駆動源となるモータとを備えるとともに、
前記引抜き検知機構として、前記カードの厚さを検知する厚さ検知機構と、前記カードの厚さ方向と前記カードの搬送方向とに直交する前記カードの幅方向の端部を検知する幅検知機構と、前記カードの有無を検知するカード有無検知機構と、前記モータの回転状態を検知する回転検知機構とを備え、
前記ロック部材は、前記厚さ検知機構、前記幅検知機構、前記カード有無検知機構および前記回転検知機構の全てにおいて前記カード挿入口からの前記カードの異常な引抜きが検知されると、前記退避位置から前記接触位置に移動して、前記カードの引抜きを阻止することを特徴とする請求項１または２記載のカードリーダ。
【請求項５】
前記阻止部は、前記カードに突き刺さるように尖っていることを特徴とする請求項１から４のいずれかに記載のカードリーダ。
【発明の詳細な説明】
【技術分野】
【０００１】
本発明は、カードに記録されたデータの読取やカードへのデータの記録を行うカードリーダに関する。
【背景技術】
【０００２】
従来、カードに記録されたデータの読取やカードへのデータの記録を行うカードリーダが広く利用されている。カードリーダが利用される金融機関等の業界では、犯罪者がカードリーダ内でカードを意図的に詰まらせた後にカード挿入口からカードを引き抜いて、カードを不正に取得するいわゆるフィッシングが大きな問題となっている。そこで、従来、フィッシングを防止するための阻止機構を備えるカードリーダが提案されている（たとえば、特許文献１参照）。
【０００３】
特許文献１に記載のカードリーダは、カード搬送路を塞ぐ位置とカード搬送路を開放する位置との間で移動可能なシャッタと、シャッタの開位置を検知するシャッタ検知機構と、カードの異常停止を検知する異常停止検知機構とを備えている。異常停止検知機構は、カード搬送路におけるカードの有無を検知する複数のカード検知機構である。また、このカードリーダでは、阻止機構は、カードの表面に所定の圧力で接触するあるいはカードに突き刺さるニードルと、ニードルを動作させるためのソレノイドとを備えている。
【０００４】
特許文献１に記載のカードリーダでは、異常停止検知機構によってカードの異常停止が検知されたときに、シャッタ検知機構によってシャッタがカード搬送路を開放していることが検知されると、ソレノイドが起動して、ニードルが、カードの表面に所定の圧力で接触するあるいはカードに突き刺さる。そのため、このカードリーダでは、犯罪者によるカード挿入口からのカードの引抜きを阻止することが可能になり、その結果、犯罪者によるカードの不正取得を阻止することが可能になる。
【先行技術文献】
【特許文献】
【０００５】
【特許文献１】特開２００１−２２２６８６号公報
【発明の概要】
【発明が解決しようとする課題】
【０００６】
上述のように、特許文献１に記載のカードリーダでは、異常停止検知機構によってカードの異常停止が検知されたときに、シャッタ検知機構によってシャッタがカード搬送路を開放していることが検知されると、阻止機構のソレノイドが起動して、ニードルが、カードの表面に所定の圧力で接触したり、カードに突き刺さる。ニードルが、カードの表面に所定の圧力で接触したり、カードに突き刺さっていると、カード挿入口からカードを引き抜くことができないため、阻止機構のソレノイドが一旦起動して、ニードルが、カードの表面に所定の圧力で接触したり、カードに突き刺さると、その後のカードリーダの復旧作業に時間がかかる。また、阻止機構のソレノイドが一旦起動して、ニードルが、カードの表面に所定の圧力で接触したり、カードに突き刺さると、カードに、傷がついたり、孔が開いたりしてカードが利用できなくなる場合がある。
【０００７】
したがって、特許文献１に記載のカードリーダのように、フィッシングを防止するためにカード挿入口からのカードの引抜きを阻止する機構を備えるカードリーダでは、フィッシングが行われようとしているのか否かを精度良く検知して、カードの引抜きを阻止する機構の誤動作を抑制できることが好ましい。
【０００８】
そこで、本発明の課題は、フィッシングを防止するために、カード挿入口からのカードの引抜きを阻止する引抜き阻止機構を備えるカードリーダにおいて、フィッシングが行われようとしているのか否かを精度良く検知して、引抜き阻止機構の誤動作を抑制することが可能なカードリーダを提供することにある。
【課題を解決するための手段】
【０００９】
上記の課題を解決するため、本発明のカードリーダは、カードが挿入されるとともに排出されるカード挿入口と、カード挿入口からのカードの異常な引抜きを検知する複数種類の引抜き検知機構と、カード挿入口からのカードの異常な引抜きを阻止する引抜き阻止機構とを備え、引抜き阻止機構は、カードに接触してカードの引抜きを阻止する阻止部が形成されるロック部材と、カードに阻止部が接触する接触位置とカードから離れるように阻止部が退避する退避位置との間でロック部材を移動させる移動機構とを備え、複数種類の引抜き検知機構は、互いに異なる方法でカードの異常な引抜きを検知するとともに、本来検知すべきではないタイミングで検知対象を検知することでカードの異常な引抜きを検知し、ロック部材は、複数種類の引抜き検知機構においてカード挿入口からのカードの異常な引抜きが検知されると、退避位置から接触位置に移動して、カードの引抜きを阻止することを特徴とする。
【００１０】
本発明のカードリーダは、実際のフィッシング行為となるカード挿入口からのカードの異常な引抜きを検知する複数種類の引抜き検知機構を備えており、この複数種類の引抜き検知機構は、互いに異なる方法でカードの異常な引抜きを検知する。そのため、本発明では、フィッシングが行われようとしているのか否かを精度良く検知することが可能になる。また、本発明では、複数種類の引抜き検知機構においてカード挿入口からのカードの異常な引抜きが検知されると、阻止部がカードに接触して、カードの引抜きを阻止するため、引抜き阻止機構の誤動作を抑制することが可能になる。
【００１１】
本発明において、カードリーダは、たとえば、カード挿入口から挿入されたカードが搬送されるカード搬送路と、カードリーダ内へカードが取り込まれないようにカード搬送路を塞ぐ閉鎖位置とカードリーダ内へのカードの取込みが可能となるようにカード搬送路を開放する開放位置との間で移動可能なシャッタ部材とを備え、複数種類の引抜き検知機構および阻止部は、カードの搬送方向において、シャッタ部材よりも手前側に配置されている。この場合には、シャッタ部材よりも手前側（すなわち、シャッタ部材よりもカード挿入口に近い位置）にカードが搬送されていても、カードの異常な引抜きを阻止することが可能になる。
【００１２】
本発明において、カードリーダは、たとえば、引抜き検知機構として、カードの厚さを検知する厚さ検知機構と、カードの厚さ方向とカードの搬送方向とに直交するカードの幅方向の端部を検知する幅検知機構と、カードの有無を検知するカード有無検知機構とを備え、ロック部材は、厚さ検知機構、幅検知機構およびカード有無検知機構の全てにおいてカード挿入口からのカードの異常な引抜きが検知されると、退避位置から接触位置に移動して、カードの引抜きを阻止する。この場合には、厚さ検知機構、幅検知機構およびカード有無検知機構を用いて、フィッシングが行われようとしているのか否かを精度良く検知することが可能になる。
【００１３】
また、本発明において、カードリーダは、たとえば、カード挿入口から挿入されたカードを搬送する搬送ローラと、搬送ローラを駆動するための駆動源となるモータとを備えるとともに、引抜き検知機構として、カードの厚さを検知する厚さ検知機構と、カードの厚さ方向とカードの搬送方向とに直交するカードの幅方向の端部を検知する幅検知機構と、カードの有無を検知するカード有無検知機構と、モータの回転状態を検知する回転検知機構とを備え、ロック部材は、厚さ検知機構、幅検知機構、カード有無検知機構および回転検知機構の全てにおいてカード挿入口からのカードの異常な引抜きが検知されると、退避位置から接触位置に移動して、カードの引抜きを阻止しても良い。この場合には、厚さ検知機構、幅検知機構、カード有無検知機構および回転検知機構を用いて、フィッシングが行われようとしているのか否かを精度良く検知することが可能になる。
【００１４】
本発明において、阻止部は、カードに突き刺さるように尖っていることが好ましい。このように構成すると、犯罪者によるカードの引抜きを効果的に阻止することが可能になる。
【発明の効果】
【００１５】
以上のように、本発明では、フィッシングを防止するために、カード挿入口からのカードの引抜きを阻止する引抜き阻止機構を備えるカードリーダにおいて、フィッシングが行われようとしているのか否かを精度良く検知することが可能になるとともに、引抜き阻止機構の誤動作を抑制することが可能になる。
【図面の簡単な説明】
【００１６】
【図１】本発明の実施の形態にかかるカードリーダの斜視図である。
【図２】図１に示すカード挿入部の構成を側面から説明するための図である。
【図３】図２に示すカード挿入部の前端側の構成を正面から説明するための図である。
【図４】図２に示すカード挿入部においてロック部材が動作を開始する直前の状態を側面から説明するための図である。
【発明を実施するための形態】
【００１７】
以下、図面を参照しながら、本発明の実施の形態を説明する。
【００１８】
（カードリーダの概略構成）
図１は、本発明の実施の形態にかかるカードリーダ１の斜視図である。
【００１９】
本形態のカードリーダ１は、カード２に記録されたデータの読取やカード２へのデータの記録を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、カード２が挿入されるとともに排出されるカード挿入口３が形成されるカード挿入部４と、本体部５とを備えている。カードリーダ１の内部には、カード挿入口３から挿入されたカード２が搬送されるカード搬送路６（図２参照）が形成されており、カードリーダ１は、カード２を搬送するカード搬送機構を備えている。
【００２０】
カード２は、厚さが０．７〜０．８ｍｍ程度の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気データが記録される磁気ストライプが形成されている。また、カード２には、ＩＣチップが内蔵されている。
【００２１】
本形態では、図１等に示すＸ方向でカード２が搬送される。すなわち、Ｘ方向は、カード２の搬送方向である。また、本形態では、Ｘ１方向にカード２が挿入されて取り込まれ、Ｘ２方向にカード２が排出される。また、本形態では、カード２の短手方向とＸ方向とが一致するように、カード２がカードリーダ１に取り込まれて、カードリーダ１の中で搬送される。すなわち、カードリーダ１は、カード２の短手方向でカード２を搬送して所定の処理を行う。
【００２２】
また、Ｘ方向に直交するＹ方向は、カードリーダ１の中に正しい向きで取り込まれたカード２の長手方向であるとともに、カード２の幅方向である。また、Ｘ方向とＹ方向とに直交する図１等のＺ方向は、カードリーダ１の中に取り込まれたカード２の厚さ方向である。本形態では、Ｚ方向と鉛直方向とが一致するようにカードリーダ１が配置されている。なお、以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｚ１方向側を「上」側、Ｚ２方向側を「下」側とする。
【００２３】
カード挿入部４は、本体部５の前面側に取り付けられており、カードリーダ１の前面側部分を構成している。カード挿入部４の具体的な構成については後述する。
【００２４】
本体部５は、カード２に記録された磁気データの読取やカード２への磁気データの記録を行う磁気ヘッド（図示省略）を備えている。磁気ヘッドは、カード搬送路６の下側からカード搬送路６に臨むように配置されている。また、磁気ヘッドは、左右方向へ移動可能なキャリッジに搭載されている。キャリッジは、キャリッジ駆動機構８に連結されており、磁気ヘッドは、キャリッジと一緒に左右方向へ移動する。また、磁気ヘッドは、カード２に接触可能な位置とカード搬送路６から退避する位置との間で上下動する。
【００２５】
また、本体部５は、カード２に内蔵されるＩＣチップとの間でデータの通信を行うためのＩＣ接点バネ（図示省略）を備えている。ＩＣ接点バネは、カード搬送路６の上側からカード搬送路６に臨むように配置されている。また、ＩＣ接点バネは、ＩＣ接点ブロック（図示省略）に固定されている。ＩＣ接点ブロックは、ＩＣ接点ブロック駆動機構に連結されており、ＩＣ接点バネは、カード２に接触可能な位置とカード搬送路６から退避する位置との間で上下動する。
【００２６】
さらに、本体部５は、カードリーダ１の中に取り込まれたカード２を位置決めするための位置決め機構（図示省略）を備えている。本体部５には、カード搬送機構を構成する搬送ローラおよびパッドローラ（図示省略）が配置されている。搬送ローラは、上側からカード搬送路６に臨むように配置されている。パッドローラは、下側からカード搬送路６に臨むように搬送ローラに対向配置されている。
【００２７】
（カード挿入部の構成）
図２は、図１に示すカード挿入部４の構成を側面から説明するための図である。図３は、図２に示すカード挿入部４の前端側の構成を正面から説明するための図である。図４は、図２に示すカード挿入部４においてロック部材３３が動作を開始する直前の状態を側面から説明するための図である。
【００２８】
カード挿入部４は、左右方向におけるカード２の端部を検知する幅検知機構１１と、カード２の厚さを検知する厚さ検知機構１２と、カード２の有無を検知するカード有無検知機構１３と、カード挿入部４の奥側部分に配置されるシャッタ部材１４と、カード挿入口３からのカード２の異常な引抜きを阻止する引抜き阻止機構１５とを備えている。また、カード挿入部４には、カード搬送機構を構成する搬送ローラ１６およびパッドローラ１７が配置されている。
【００２９】
幅検知機構１１は、カード挿入部４の前端側に配置されている。この幅検知機構１１は、カード挿入部４の左右の両端側に配置されカード搬送路６に出没可能な２個の検知レバー２０と、２個の検知レバー２０のそれぞれの動きを検知する（すなわち、検知レバー２０のカード搬送路６への出没状態を検知する）２個のセンサ２１（図３参照）とを備えている。センサ２１は、発光素子とこの発光素子からの光を受光する受光素子とを備える透過型の光学式センサである。
【００３０】
検知レバー２０は、カード搬送路６の左右両端側でカード搬送路６に出没してカード２の左右方向の両端のそれぞれに接触可能なカード接触部２０ａと、センサ２１の発光素子と受光素子との間を遮るための遮光部２０ｂとを備えている。カード接触部２０ａの上側は、前後方向を軸方向としてカード挿入部４のフレームに固定される固定軸２２（図３参照）に回動可能に保持されている。また、検知レバー２０は、図示を省略するバネ等の付勢部材によって、カード接触部２０ａが左右方向の内側へ移動するように付勢されている。
【００３１】
カードリーダ１にカード２が挿入される前の待機時には、この付勢部材の付勢力によって、カード接触部２０ａは、カード搬送路６の中に配置されている。このときには、図３（Ａ）に示すように、センサ２１の発光素子と受光素子との間を遮光部２０ｂが遮っている。この状態で、カード２の短手方向が前後方向と一致するようにカード２がカード挿入口３から挿入されると、２個の検知レバー２０のそれぞれに、カード２の左右両端のそれぞれが接触して、固定軸２２を中心に検知レバー２０が回動する。検知レバー２０が回動すると、図３（Ｂ）に示すように、センサ２１の発光素子と受光素子との間から遮光部２０ｂが外れる。そのため、２個のセンサ２１において発光素子からの光を受光素子が受光することで、カード２の短手方向が前後方向と一致するようにカード２がカード挿入口３から挿入されたことが検知される。
【００３２】
厚さ検知機構１２は、左右方向を回転の軸方向として回転可能なローラ２３と、ローラ２３を回転可能に保持する軸２４と、軸２４が固定される軸保持部材２５と、軸保持部材２５を回転可能に保持する固定軸２６と、ローラ２３の動きを検知するセンサ２７とを備えている。センサ２７は、発光素子とこの発光素子からの光を受光する受光素子とを備える透過型の光学式センサである。
【００３３】
ローラ２３は、前後方向において、カード接触部２０ａと略同じ位置に配置されている。軸２４は、その軸方向と左右方向とが一致するように配置され、軸保持部材２５の上端側に固定されている。固定軸２６は、左右方向を軸方向としてカード挿入部４のフレームに固定されている。軸保持部材２５には、センサ２７の発光素子と受光素子との間を遮るための遮光部２５ａが形成されている。軸保持部材２５は、カード搬送路６の下側に配置されている。
【００３４】
ローラ２３は、固定軸２６を中心に軸保持部材２５と一緒に回動可能となっている。また、ローラ２３は、ローラ２３の上端側の一部がカード搬送路６の中に配置されてカード２に接触可能な位置（図２、図３（Ａ）に示す位置）と、カード搬送路６の下側に退避する位置（図４、図３（Ｂ）に示す位置）との間で移動可能となっている。すなわち、ローラ２３は、カード搬送路６に出没可能となっている。軸保持部材２５は、図示を省略するバネ等の付勢部材によって、ローラ２３が上昇する方向に付勢されている。ローラ２３の上側には、ローラ２３の上端が当接する当接部材２８が配置されている。当接部材２８は、カード挿入部４のフレームに固定されており、カード搬送路６の上側に配置されている。
【００３５】
カードリーダ１にカード２が挿入される前の待機時には、ローラ２３は、軸保持部材２５を付勢する付勢部材の付勢力で上側に向かって付勢されており、ローラ２３の上端側の一部は、カード搬送路６の中に配置されている。このときには、図２に示すように、センサ２７の発光素子と受光素子との間から遮光部２５ａが外れている。この状態で、カード挿入口３から挿入されたカード２がローラ２３に接触すると、ローラ２３は、付勢部材の付勢力に抗して下側へ退避する。ローラ２３が下側へ退避すると、図４に示すように、遮光部２５ａは、センサ２７の発光素子と受光素子との間を遮る。そのため、センサ２７の発光素子から受光素子へ向かう光が遮光部２５ａによって遮られることで、カード挿入口３から規定の厚さのカード２が挿入されたことが検知される。なお、厚さ検知機構１２は、カード搬送路６を閉鎖するシャッタとしても機能している。
【００３６】
カード有無検知機構１３は、発光素子を有する発光部３１と、発光部３１の発光素子からの光を受光する受光素子を有する受光部３２とから構成される透過型の光学式センサである。発光部３１および受光部３２は、ローラ２３よりも奥側に配置されている。また、発光部３１と受光部３２とは、上下方向でカード搬送路６を挟むように配置されている。そのため、カード搬送路６の、発光部３１および受光部３２が配置された部分にカード２がないときには、受光部３２は、発光部３１からの光を受光し、カード搬送路６の、発光部３１および受光部３２が配置された部分にカード２があるときには、カード２が発光部３１から受光部３２へ向かう光を遮る。したがって、発光部３１から受光部３２へ向かう光がカード２によって遮られることで、カード搬送路６の、発光部３１および受光部３２が配置された部分にカード２が有ることが検知される。
【００３７】
シャッタ部材１４は、カードリーダ１の中（具体的には、本体部５の中）にカード２が取り込まれないようにカード搬送路６を閉鎖する閉鎖位置（図２に示す位置）と、カードリーダ１の中へのカード２の取込みが可能となるようにカード搬送路６を開放する開放位置（図４に示す位置）との間で移動可能となっている。このシャッタ部材１４は、閉鎖位置と開放位置との間でシャッタ部材１４を駆動するシャッタ駆動機構（図示省略）に連結されている。シャッタ部材１４には、前側へ突出する突出部１４ａが形成されている。突出部１４ａの前端面は、シャッタ部材１４が閉鎖位置にあるときに、たとえば、想定外の速さでカード挿入口３から無理やり差し込まれたカード２の奥端が当接するカード当接面となっている。
【００３８】
引抜き阻止機構１５は、たとえば、上述の特許文献１に記載の阻止機構と同様に構成されており、カード２に接触してカード２の引抜きを阻止する阻止部３３ａが形成されるロック部材３３と、ロック部材３３を移動させる移動機構（図示省略）とを備えている。阻止部３３ａは、カード２に突き刺さるように尖っている。この阻止部３３ａは、上下方向へ移動可能となっている。また、阻止部３３ａは、前後方向において、カード接触部２０ａおよびローラ２３と、発光部３１および受光部３２との間に配置されている。移動機構は、駆動源としてのソレノイドと、ソレノイドの動力をロック部材３３に伝達するリンク機構とを備えている。この移動機構は、下側からカード２に阻止部３３ａが接触する接触位置（図４の二点鎖線で示す位置）と、カード２から離れるようにカード搬送路６の下側へ阻止部３３ａが退避する退避位置（図２、図４の実線で示す位置）との間でロック部材３３を移動させる。
【００３９】
上述のように、シャッタ部材１４は、カード挿入部４の奥側部分に配置されており、幅検知機構１１、厚さ検知機構１２、カード有無検知機構１３および阻止部３３ａよりも奥側に配置されている。すなわち、幅検知機構１１、厚さ検知機構１２、カード有無検知機構１３および阻止部３３ａは、前後方向において、シャッタ部材１４よりも手前側に配置されている。
【００４０】
搬送ローラ１６は、上側からカード搬送路６に臨むように配置されている。パッドローラ１７は、下側からカード搬送路６に臨むように搬送ローラ１６に対向配置されている。また、搬送ローラ１６およびパッドローラ１７の回転中心は、前後方向において、カード接触部２０ａおよびローラ２３と、発光部３１および受光部３２との間に配置されている。搬送ローラ１６は、カード挿入口３から挿入されたカード２を奥側へ搬送する機能を果たしている。また、搬送ローラ１６は、プーリやベルト等の動力伝達機構（図示省略）を介して、搬送ローラ１６を駆動するための駆動源となるモータ（図示省略）に連結されている。このモータには、モータの回転数や回転位置（すなわち、モータの回転状態）を検知する回転検知機構（エンコーダ）が取り付けられている。
【００４１】
カードリーダ１では、カード挿入口３から正しい向きで挿入された正規のカード２は、カードリーダ１の内部（具体的には、本体部５の内部）に取り込まれて処理される。また、カードリーダ１の内部に取り込まれたカード２は停止している。そのため、カードリーダ１の内部にカード２が取り込まれると、センサ２１の発光素子と受光素子との間が遮光部２０ｂに遮られており、幅検知機構１１によってカード２は検知されていない。また、カードリーダ１の内部にカード２が取り込まれると、センサ２７の発光素子と受光素子との間から遮光部２５ａが外れており、厚さ検知機構１２によってカード２は検知されていない。さらに、カードリーダ１の内部にカード２が取り込まれると、受光部３２は、発光部３１からの光を受光しており、カード有無検知機構１３によってカード２は検知されていない。一方、犯罪者が、カードリーダ１の内部に取り込まれたカード２を不正に取得しようとして、何らかの手段を用いてカードリーダ１の内部に取り込まれたカード２をカード挿入口３から強引に引き抜こうとすると、カード２が引き抜かれる過程で、幅検知機構１１、厚さ検知機構１２およびカード有無検知機構１３によってカード２が検知される。
【００４２】
本形態の幅検知機構１１、厚さ検知機構１２およびカード有無検知機構１３は、カードリーダ１の内部に取り込まれたカード２がカード挿入口３から強引に引き抜かれる（すなわち、不正に引き抜かれる）カード２の異常な引抜きを検知する複数種類の引抜き検知機構となっており、幅検知機構１１、厚さ検知機構１２およびカード有無検知機構１３は、互いに異なる方法でカード２の異常な引抜きを検知する。
【００４３】
すなわち、幅検知機構１１は、本来、左右方向におけるカード２の端部を検知すべきではないタイミングで、左右方向におけるカード２の端部を検知することで、カード２の異常な引抜きを検知する。また、厚さ検知機構１２は、本来、カード２の厚さを検知すべきではないタイミングで、カード２の厚さを検知することで、カード２の異常な引抜きを検知する。さらに、カード有無検知機構１３は、本来、カード搬送路６の、発光部３１および受光部３２が配置された部分にカード２が有ることを検知すべきではないタイミングで、カード搬送路６の、発光部３１および受光部３２が配置された部分にカード２が有ることを検知することで、カード２の異常な引抜きを検知する。
【００４４】
また、本形態では、図４に示すように、幅検知機構１１、厚さ検知機構１２およびカード有無検知機構１３の全てにおいてカード２の異常な引抜きが検知されると、引抜き阻止機構１５の移動機構が起動し、阻止部３３ａが退避する退避位置から阻止部３３ａがカード２に接触する接触位置にロック部材３３が移動して、ロック部材３３がカード２の引抜きを阻止する。すなわち、本形態では、複数種類の引抜き検知機構においてカード２の異常な引抜きが検知されると（より具体的には、複数種類の引抜き検知機構の全てにおいてカード２の異常な引抜きが検知されると）、引抜き阻止機構１５の移動機構が起動し、ロック部材３３が退避位置から接触位置に移動して、ロック部材３３がカード２の引抜きを阻止する。
【００４５】
（本形態の主な効果）
以上説明したように、本形態では、幅検知機構１１、厚さ検知機構１２およびカード有無検知機構１３は、実際のフィッシング行為となるカード挿入口３からのカード２の異常な引抜きを検知する複数種類の引抜き検知機構となっており、幅検知機構１１、厚さ検知機構１２およびカード有無検知機構１３は、互いに異なる方法でカード２の異常な引抜きを検知している。そのため、本形態では、幅検知機構１１、厚さ検知機構１２およびカード有無検知機構１３を用いて、フィッシングが行われようとしているのか否かを精度良く検知することが可能になる。また、本形態では、幅検知機構１１、厚さ検知機構１２およびカード有無検知機構１３の全てにおいてカード２の異常な引抜きが検知されると、阻止部３３ａがカード２に接触してカード２の引抜きを阻止するため、引抜き阻止機構１５の誤動作を抑制することが可能になる。
【００４６】
本形態では、幅検知機構１１、厚さ検知機構１２、カード有無検知機構１３および阻止部３３ａは、前後方向において、シャッタ部材１４よりも手前側に配置されている。そのため、本形態では、シャッタ部材１４よりも手前側にカード２の前端側が搬送されていても、カード２の異常な引抜きを阻止することが可能になる。また、本形態では、阻止部３３ａが、カード２に突き刺さるように尖っているため、犯罪者によるカード２の引抜きを効果的に阻止することが可能になる。
【００４７】
（他の実施の形態）
上述した形態は、本発明の好適な形態の一例ではあるが、これに限定されるものではなく本発明の要旨を変更しない範囲において種々変形実施が可能である。
【００４８】
上述した形態では、幅検知機構１１、厚さ検知機構１２およびカード有無検知機構１３が複数種類の引抜き検知機構となっており、幅検知機構１１、厚さ検知機構１２およびカード有無検知機構１３の全てにおいてカード２の異常な引抜きが検知されると、阻止部３３ａがカード２に接触してカード２の引抜きを阻止している。この他にもたとえば、幅検知機構１１、厚さ検知機構１２およびカード有無検知機構１３に加えて、搬送ローラ１６の駆動源となるモータの回転状態を検知する回転検知機構が複数種類の引抜き検知機構となっていても良い。この場合には、幅検知機構１１、厚さ検知機構１２、カード有無検知機構１３および回転検知機構の全てにおいてカード２の異常な引抜きが検知されると、阻止部３３ａがカード２に接触してカード２の引抜きを阻止する。
【００４９】
また、幅検知機構１１、厚さ検知機構１２、カード有無検知機構１３および上記の回転検知機構の中から任意に選択される２個または３個の検知機構が複数種類の引抜き検知機構となっていても良い。この場合には、選択された２個または３個の検知機構の全てにおいてカード２の異常な引抜きが検知されると、阻止部３３ａがカード２に接触してカード２の引抜きを阻止する。なお、カードリーダ１の内部にカード２が取り込まれた状態では、搬送ローラ１６は停止しており搬送ローラ１６を駆動するモータは回転しないため、エンコーダは、本来、モータが回転していることを検知すべきではないタイミングで、モータが回転していることを検知することで、カード２の異常な引抜きを検知する。
【００５０】
上述した形態において、カード挿入部４は、カード２に磁気データが記録されていることを検知するプリヘッド（磁気ヘッド）や磁気センサ等の磁気検知機構と、カード２にＩＣチップの外部接続端子が固定されていることを検知する金属検知機構とを備えていても良い。この場合には、磁気センサは、たとえば、フラックスゲートセンサ、磁気インピーダンスを利用して磁気データを検知するＭＩセンサ、磁気抵抗効果を利用して磁気データを検知するＭＲセンサ、あるいは、ホール効果を利用して磁気データを検知するホールセンサである。
【００５１】
また、この場合には、幅検知機構１１、厚さ検知機構１２、カード有無検知機構１３、上記の回転検知機構、磁気検知機構および金属検知機構が複数種類の引抜き検知機構となっていても良い。この場合には、幅検知機構１１、厚さ検知機構１２、カード有無検知機構１３、回転検知機構、磁気検知機構および金属検知機構の全てにおいてカード２の異常な引抜きが検知されると、阻止部３３ａがカード２に接触してカード２の引抜きを阻止する。また、幅検知機構１１、厚さ検知機構１２、カード有無検知機構１３、回転検知機構、磁気検知機構および金属検知機構の中から任意に選択される２個、３個、４個または５個の検知機構が複数種類の引抜き検知機構となっており、選択された２個、３個、４個または５個の検知機構の全てにおいてカード２の異常な引抜きが検知されたときに、阻止部３３ａがカード２に接触してカード２の引抜きを阻止しても良い。なお、カードリーダ１の内部にカード２が取り込まれた状態では、カード挿入部４にカード２がないため、磁気検知機構は、本来、磁気データを検知すべきではないタイミングで、磁気データを検知することで、カード２の異常な引抜きを検知し、金属検知機構は、本来、ＩＣチップの外部接続端子を検知すべきではないタイミングで、ＩＣチップの外部接続端子を検知することで、カード２の異常な引抜きを検知する。
【００５２】
上述した形態では、引抜き阻止機構１５は、上述の特許文献１（特開２００１−２２２６８６号公報）に記載の阻止機構と同様に構成されているが、引抜き阻止機構１５は、たとえば、特開２００６−１５５５６７号公報に記載のカードロック装置と同様に構成されても良い。また、上述した形態では、阻止部３３ａは、カード２に突き刺さるように尖っているが、カード２に接触してカード２の引抜きを阻止することができるのであれば、阻止部３３ａは尖っていなくても良い。たとえば、阻止部３３ａが摩擦係数の高い部材で形成されており、阻止部３３ａがカード２に接触することでカード２の引抜きを阻止することができるのであれば、阻止部３３ａは尖っていなくても良い。
【００５３】
上述した形態では、カード有無検知機構１３および阻止部３３ａは、前後方向において、シャッタ部材１４よりも手前側に配置されている。この他にもたとえば、カード有無検知機構１３および／または阻止部３３ａは、前後方向において、シャッタ部材１４より奥側に配置されても良い。
【００５４】
上述した形態では、幅検知機構１１は、検知レバー２０および光学式のセンサ２１等によって構成されている。この他にもたとえば、幅検知機構１１は、検知レバー２０および検知レバー２０の動作を検知するマイクロスイッチ等によって構成されても良い。また、幅検知機構１１は、カード搬送路６の、カード２が通過する部分を上下で挟むように配置される発光素子と受光素子とを有する光学式センサ等によって構成されても良いし、カード２の長手方向の端部が接触する位置に配置されるマイクロスイッチ等によって構成されても良い。また、センサ２７は、マイクロスイッチ等であっても良い。
【００５５】
上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。また、カード２には、ＩＣチップが内蔵されていなくても良い。また、上述した形態では、カードリーダ１は、カード２の短手方向でカード２を取り込んで所定の処理を実行するように構成されているが、カードリーダ１は、カード２の長手方向でカード２を取り込んで所定の処理を実行するように構成されても良い。
【符号の説明】
【００５６】
１  カードリーダ
２  カード
３  カード挿入口
６  カード搬送路
１１  幅検知機構（引抜き検知機構）
１２  厚さ検知機構（引抜き検知機構）
１３  カード有無検知機構（引抜き検知機構）
１４  シャッタ部材
１５  引抜き阻止機構
１６  搬送ローラ
３３  ロック部材
３３ａ  阻止部
Ｘ  カードの搬送方向
Ｙ  カードの幅方向
Ｚ  カードの厚さ方向
【図１】
0006449604.tif 000002
【図２】
0006449604.tif 000003
【図３】
0006449604.tif 000004
【図４】
0006449604.tif 000005